【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
無線マルチアンテナ直交周波数分割多重（ＯＦＤＭ）通信システムにおいて、伝送のためにデータを処理する方法であって、
符号化されたデータを得るために、コーディング方式に従ってトラフィックデータをコーディングし、
インターリーブされたデータを得るために、インターリービング方式に従って符号化されたデータをインターリービングし、
データシンボルのストリームを得るために、変調方式に従ってインターリーブされたデータをシンボルマッピングし、
データシンボルのストリームから少なくとも一対のデータシンボルを形成し、そして
１対のアンテナから伝送のための送信シンボルの２対を得るために、データシンボルの各対を処理することを含み、ここで各送信シンボルはデータシンボルの変形であり、そしてさらに２対の送信シンボルは少なくとも１つのＯＦＤＭサブバンド上で送信され、そしてさらにＯＦＤＭ通信システムは割当てられるサブバンドの総数を調整可能である
方法。
【請求項２】
ここで、データシンボルの各対に対する送信シンボルの２個の対は、２個のＯＦＤＭシンボル期間中に同じサブバンド上のアンテナの対から送信される、請求項１記載の方法。
【請求項３】
ここで、データシンボルの各対に対する送信シンボルの２個の対は、１個のＯＦＤＭシンボル期間中に２個のサブバンド上の１対のアンテナから送信される、請求項１記載の方法。
【請求項４】
ここで、ＮＴ個のアンテナがデータ伝送のために使用可能であり、そしてＮＴ・（ＮＴ−１）／２個の異なったアンテナの対がストリーム内のデータシンボルの対を送信するために使用される、ここでＮＴ>２である、請求項１記載の方法。
【請求項５】
ここで、複数のサブバンドがデータ伝送に対して使用され、そしてここで、異なったアンテナの対がデータ伝送に対して使用される隣接したサブバンドに対して使用される、請求項１記載の方法。
【請求項６】
ここで、システムはＳ個のサブバンドを有する第１のＯＦＤＭシンボルサイズおよびＬ個のサブバンドを有する第２のＯＦＤＭシンボルサイズをサポートする、ここでＳは１よりも大きい整数であり、そしてＬはＳの倍数の整数である、請求項１記載の方法。
【請求項７】
さらに、
複数のアンテナに対する複数の送信シンボルのストリームを形成し、そして
ＯＦＤＭシンボルの対応するストリームを得るために、第１あるいは第２のＯＦＤＭシンボルサイズに従って送信シンボルの各ストリームを変換する
ことを含む、請求項６記載の方法。
【請求項８】
ここで、コーディングは
固定された符号レートで符号ビットを得るために、ベース符号に従ってトラフィックデータをコーディングし、そして
システムによってサポートされる複数の符号レートの一つで符号ビットを含む符号化されたデータを得るために、固定された符号レートで符号ビットをパンクチャする
ことを含む、請求項１記載の方法。
【請求項９】
ここで、ベース符号はレート１／２畳み込み符号である、請求項８記載の方法。
【請求項１０】
ここで、複数の符号レートは複数のパンクチャリングパターンと組み合わせられている、請求項８記載の方法。
【請求項１１】
ここで、コーディングは、
固定された符号レートで符号ビットを得るために、ベース符号に従ってトラフィックデータをコーディングし、
固定された符号レートよりもより低い符号レートで符号ビットを含む符号化されたデータを得るために、固定された符号レートで符号ビットを反復する
ことを含む、請求項１記載の方法。
【請求項１２】
ここで、インターリービングは
符号化されたデータからの符号ビットのシーケンスを形成し、そして
シーケンスの各々に対してインターリービング方式に基づいて、シーケンス内の各符号ビットを複数のサブバンドの１個にマッピングする
ことを含む、請求項１記載の方法。
【請求項１３】
ここで、符号ビットの各シーケンスは１個のＯＦＤＭシンボル期間中に複数のサブバンド上の伝送に対して指定されている、請求項１２記載の方法。
【請求項１４】
ここで、インターリービングは
符号化されたデータから符号ビットのシーケンスを形成し、
シーケンスの各々を、サブバンドのＭ個のばらばらなグループ上に伝送のためにＭ個の符号ビットのブロックに分割し、なお符号ビットの１個のブロックはサブバンドの各グループに対するものであり、ここでＭ≧２であり、そして
各シーケンスに対するＭ個のブロックの各々に対して、インターリービング方式に基づいてブロック内の各符号ビットをそのブロックに対するグループ内のサブバンドの一つに対してマッピングする、
ことを含む、請求項１記載の方法。
【請求項１５】
ここで、シンボルマッピングは
インターリーブされたデータ内のＢ個のビットのセットをＢ‐ビットのバイナリ値を形成するために分類し、ここでＢ≧１であり、そして
変調方式に基づいてＢ‐ビットバイナリ値の各々をデータシンボルにマッピングする、ここで変調方式はその変調方式に対する信号コンスタレーション内の、２個の隣接したデータシンボルが、Ｂ個のビットの中の多くて１ビットだけ異なるようにグレイマッピングで定義されている
ことを含む、請求項１記載の方法。
【請求項１６】
ここで、シンボルマッピングはさらに、
セットの各々に対してＢ個のビットを再配列する、そしてここで再配列されたＢ個のビットのセットはＢ‐ビットバイナリ値を形成するために使用される、
ことを含む、請求項１５記載の方法。
【請求項１７】
無線マルチアンテナ直交周波数分割多重（ＯＦＤＭ）通信システムにおける送信機であって、
符号化されたデータを得るために、コーディング方式に従ってトラフィックデータを符号化する能力を有するエンコーダと、
インターリーブされたデータを得るために、インターリービング方式に従って符号化されたデータをインターリーブする能力を有するインターリーバと、
データシンボルのストリームを得るために、変調方式に従ってインターリーブされたデータをシンボルマップする能力を有するシンボルマッピングユニットと、そして
１対のアンテナから伝送のための２対の送信シンボルを得るために、データシンボルのストリームから少なくとも一対のデータシンボルを形成し、そしてデータシンボルの各々の対を処理するように動作する送信空間的処理装置とを含み、ここで、各送信シンボルはデータシンボルの変形であり、そしてさらに２対の送信シンボルは少なくとも１つのＯＦＤＭサブバンド上で送信され、そしてさらにＯＦＤＭ通信システムは割当てられるサブバンドの総数を調整可能である
送信機。
【請求項１８】
ここで、送信空間的処理装置は空間‐時間送信ダイバーシティを実行し、そして２個のＯＦＤＭシンボル期間中にデータシンボルの各々の対に対する２対の送信シンボルを与える能力を有する、請求項１７記載の送信機。
【請求項１９】
ここで、送信空間的処理装置は空間‐周波数送信ダイバーシティを実行し、そして２個のサブバンド上にデータシンボルの各々の対に対する２対の送信シンボルを与える能力を有する、請求項１７記載の送信機。
【請求項２０】
ここで、システムはＳ個のサブバンドを有する第１のＯＦＤＭシンボルサイズおよびＬ個のサブバンドを有する第２のＯＦＤＭシンボルサイズをサポートする、ここでＳは１より大きい整数であり、そしてＬはＳの倍数の整数である、請求項１７記載の送信機。
【請求項２１】
さらに、
複数のアンテナに対する複数の変調器を含む、なお各変調器はアンテナに対するＯＦＤＭシンボルの対応するストリームを得るために組み合わせられたアンテナに対する送信シンボルのストリームを変換する能力を有する、請求項２０記載の送信機。
【請求項２２】
無線マルチアンテナ直交周波数分割多重（ＯＦＤＭ）通信システムにおける装置であって、
符号化されたデータを得るために、コーディング方式に従ってトラフィックデータをコーディングするための手段と、
インターリーブされたデータを得るために、インターリービング方式に従って符号化されたデータをインターリービングするための手段と、
データシンボルのストリームを得るために、変調方式に従ってインターリーブされたデータをシンボルマッピングするための手段と、
データシンボルのストリームから少なくとも一対のデータシンボルを形成する手段と、そして
アンテナの１対からの伝送に対する２対の送信シンボルを得るために、データシンボルの各々の対を処理するための手段とを有し、ここで各送信シンボルはデータシンボルの変形であり、そしてさらに２対の送信シンボルは少なくとも１つのＯＦＤＭサブバンド上で送信され、そしてさらにＯＦＤＭ通信システムは割当てられるサブバンドの総数を調整可能である
装置。
【請求項２３】
ここで、データシンボルの各対に対する２対の送信シンボルは、２個のＯＦＤＭシンボル期間中に１対のアンテナから送信される、請求項２２記載の装置。
【請求項２４】
ここで、データシンボルの各対に対する２対の送信シンボルは、２個のサブバンド上に１対のアンテナから送信される、請求項２２記載の装置。
【請求項２５】
ここで、システムは、Ｓ個のサブバンドを有する第１のＯＦＤＭシンボルサイズおよびＬ個のサブバンドを有する第２のＯＦＤＭシンボルサイズをサポートし、ここでＳは１よりもより大きい整数であり、そしてＬはＳの倍数の整数である、請求項２２記載の装置。
【請求項２６】
さらに、
複数のアンテナに対する送信シンボルの複数のストリームを形成するための手段と、そして
ＯＦＤＭシンボルの対応するストリームを得るために、第１あるいは第２のＯＦＤＭシンボルサイズに従って送信シンボルの各ストリームを変換するための手段と
を含む、請求項２５記載の装置。
【請求項２７】
無線マルチアンテナ通信システムにおいて、伝送のためにデータを処理する方法であって、方法は、
符号化されたデータを得るために、コーディング方式に従ってトラフィックデータをコーディングし、
インターリーブされたデータを得るために、インターリービング方式に従って符号化されたデータをインターリービングし、
データシンボルのストリームを得るために、変調方式に従ってインターリーブされたデータをシンボルマッピングし、
データシンボルのストリームから少なくとも一対のデータシンボルを形成し、そして
データシンボルの各々の対は１対のアンテナから送信され、そしてデータシンボルの連続的な対は異なったアンテナ対から送信されるように、データシンボルのストリームをデマルチプレクスすることを含み、そしてさらに２対の送信シンボルは少なくとも１つのＯＦＤＭサブバンド上で送信され、そしてさらにＯＦＤＭ通信システムは割当てられるサブバンドの総数を調整可能である
方法。
【請求項２８】
ここで、デマルチプレクシングはさらに、符号化されたデータの各符号ビットは、符号ビットの符号レートに基づいて符号ビットに対して達成可能な最大数（番号）のアンテナから送信されるようになっている、請求項２７記載の方法。
【請求項２９】
ここで、ＭＩＭＯシステムは直交周波数分割多重（ＯＦＤＭ）を実行する、請求項２７記載の方法。
【請求項３０】
ここで、ストリーム内のデータシンボルの各々の対は、１個のサブバンド上の１対のアンテナから送信され、そしてここで隣接したサブバンドに対するデータシンボルの対は、異なったアンテナの対から送信される、請求項２９記載の方法。
【請求項３１】
ここで、符号化されたデータに対するＳ個の符号ビットの各グループはインターリーブされる、ここでＳはデータ伝送に使用されるサブバンドの数である、請求項２９記載の方法。
【請求項３２】
無線マルチアンテナ直交周波数分割多重（ＯＦＤＭ）通信システムにおいて、伝送のためにデータを処理する方法であって、方法は、
符号化されたデータを得るために、コーディング方式に従ってトラフィックデータをコーディングし、
インターリーブされたデータを得るために、インターリービング方式に従って符号化されたデータをインターリービングし、
データシンボルのストリームを得るために、変調方式に従ってインターリーブされたデータをシンボルマッピングし、
データシンボルのストリームから少なくとも一対のデータシンボルを形成し、そして
データシンボルの各々の対が２個のサブバンド上の１対のアンテナから送信されるように、データシンボルのストリームをデマルチプレクスすることを含み、そしてさらにＯＦＤＭ通信システムは割当てられるサブバンドの総数を調整可能である
方法。
【請求項３３】
ここで、ストリーム内のデータシンボルの各々の対は、データ伝送に対して使用可能な２個の隣接したサブバンド上に送信される、請求項３２記載の方法。
【請求項３４】
さらに、
送信シンボルの第１および第２の対を得るために、ストリーム内のデータシンボルの各々の対を処理することを含む、なお送信シンボルはデータシンボルの対におけるデータシンボルの一つの変形であり、ここで送信シンボルの第１の対は第１のサブバンド上のアンテナの対から送信され、そして送信シンボルの第２の対は第２のサブバンド上のアンテナの対から送信される、請求項３２記載の方法。
【請求項３５】
ここで、送信シンボルの第１および第２の対は、一つのＯＦＤＭシンボル期間中に第１および第２のサブバンド上にそれぞれ同時に送信される、請求項３４記載の方法。
【請求項３６】
無線マルチアンテナ直交周波数分割多重（ＯＦＤＭ）通信システムにおいて、受信機においてデータを処理する方法であって、方法は、
受信されたシンボルのベクトルのストリームを取得し、なお各ベクトルはＮ個の受信アンテナに対するＮ個の受信されたシンボルを含み、ここでＮは１あるいはより大きく、
受信されたシンボルのベクトルのストリームから少なくとも一対のベクトルを形成し、
それは２個の送信アンテナからの送信シンボルの２対として送信された２個のデータシンボルの推定値である、２個の回復されたデータシンボルを得るために、ベクトルの対の各々を処理し、なお各送信シンボルはデータシンボルの変形であり、ここで回復されたデータシンボルのストリームは、受信されたシンボルのベクトルのストリームに対して得られており、そしてさらに２対の送信シンボルは少なくとも１つのＯＦＤＭサブバンド上で送信され、そしてさらにＯＦＤＭ通信システムは割当てられるサブバンドの総数を調整可能であり、
復調されたデータを得るために、復調方式に従って回復されたデータシンボルのストリームをシンボルデマッピングし、
デインターリーブされたデータを得るために、デインターリービング方式に従って復調されたデータをデインターリービングし、そして
復号されたデータを得るために、復号方式に従ってデインターリーブされたデータを復号する
ことを含む方法。
【請求項３７】
ここで、受信されたシンボルのベクトルの対の各々は２個のＯＦＤＭシンボル期間に対するものである、請求項３６記載の方法。
【請求項３８】
ここで、受信されたシンボルのベクトルの対の各々は２個のサブバンドに対するものである、請求項３６記載の方法。
【請求項３９】
ここで、システムはＳ個のサブバンドを有する第１のＯＦＤＭシンボルサイズおよびＬ個のサブバンドを有する第２のＯＦＤＭシンボルサイズをサポートし、ここでＳは１よりもより大きい整数であり、そしてＬはＳの倍数の整数である、請求項３６記載の方法。
【請求項４０】
さらに、
受信アンテナに対して受信されたシンボルの対応するストリームを得るために、第１のあるいは第２のＯＦＤＭシンボルサイズに従ってＮ個の受信アンテナの各々に対するサンプルのストリームを変換することを含む、そしてここで受信されたシンボルのベクトルのストリームは、Ｎ個の受信アンテナに対する受信されたシンボルのＮ個のストリームから得られている、請求項３９記載の方法。
【請求項４１】
ここで、Ｎ＝１であり、そして各ベクトルは１個の受信アンテナに対する１個の受信されたシンボルを含む、請求項３６記載の方法。
【請求項４２】
ここで、Ｎ＞１であり、そして各ベクトルは複数の受信アンテナに対する複数の受信されたシンボルを含む、請求項３６記載の方法。
【請求項４３】
無線マルチアンテナ直交周波数分割多重（ＯＦＤＭ）通信システムにおける受信機であって、
受信されたシンボルのベクトルのストリームを受信し、受信されたシンボルのベクトルのストリームから少なくとも一対のベクトルを形成し、２個の送信アンテナからの２対の送信シンボルとして送信された２個のデータシンボルの推定値である、２個の回復されたデータシンボルを得るために、ベクトルの各々の対を処理するように動作する受信空間的処理装置と、ここで、各ベクトルはＮ個の受信アンテナに対するＮ個の受信されたシンボルを含み、ここでＮは１あるいはより大きく、そしてここで、回復されたデータシンボルのストリームは受信されたシンボルのベクトルのストリームに対して得られており、そしてさらに２対の送信シンボルは少なくとも１つのＯＦＤＭサブバンド上で送信され、そしてさらにＯＦＤＭ通信システムは割当てられるサブバンドの総数を調整可能であり、
復調されたデータを得るために、復調方式に従って回復されたデータシンボルのストリームをシンボルデマップする能力を有するシンボルデマッピングユニットと
デインターリーブされたデータを得るために、デインターリービング方式に従って復調されたデータをデインターリーブする能力を有するデインターリーバと、そして
復号されたデータを得るために、復号方式に従ってインターリーブされたデータを復号する能力を有する復号器とを含む
受信機。
【請求項４４】
ここで、受信されたシンボルのベクトルの各々の対は２個のＯＦＤＭシンボル期間に対するものである、請求項４３記載の受信機。
【請求項４５】
ここで、受信されたシンボルのベクトルの各々の対は２個のサブバンドに対するものである、請求項４３記載の受信機。
【請求項４６】
ここで、システムはＳ個のサブバンドを有する第１のＯＦＤＭシンボルサイズおよびＬ個のサブバンドを有する第２のＯＦＤＭシンボルサイズをサポートする、ここでＳは１よりもより大きい整数であり、そしてＬはＳの倍数の整数である、
請求項４３記載の受信機。
【請求項４７】
さらに、
Ｎ個の受信アンテナに対するＮ個の復調器を含む、なお各復調器は、受信アンテナに対する受信されたシンボルの対応するストリームを得るために第１あるいは第２のＯＦＤＭシンボルサイズに従って、組み合わせられた受信アンテナに対するサンプルのストリームを変換する能力を有しており、そしてここで、受信されたシンボルのベクトルのストリームはＮ個の受信アンテナに対する受信されたシンボルのＮ個のストリームから得られている、請求項４６記載の受信機。
【請求項４８】
無線マルチアンテナ直交周波数分割多重（ＯＦＤＭ）通信システムにおける装置であって、
受信されたシンボルのベクトルのストリームを得るための手段と、なお各ベクトルはＮ個の受信アンテナに対するＮ個の受信されたシンボルを含んでおり、ここでＮは１あるいはより大きく
受信されたシンボルのベクトルのストリームから少なくとも一対のベクトルを形成する手段と、そして
２個の送信アンテナからの送信シンボルの２個の対として送信された２個のデータシンボルの推定である、２個の回復されたデータシンボルを得るためにベクトルの各々の対を処理するための手段と、なお各送信シンボルはデータシンボルの変形であり、ここで回復されたデータシンボルのストリームは受信されたシンボルのベクトルのストリームに対して得られており、そしてさらに２対の送信シンボルは少なくとも１つのＯＦＤＭサブバンド上で送信され、そしてさらにＯＦＤＭ通信システムは割当てられるサブバンドの総数を調整可能であり、
復調されたデータを得るために、復調方式に従って受信されたデータシンボルのストリームをシンボルデマッピングための手段と、
デインターリーブされたデータを得るために、デインターリービング方式に従って復調されたデータをデインターリービングするための手段と、そして
復号されたデータを得るために、復号方式に従ってデインターリーブされたデータを復号するための手段と
を含む装置。
【請求項４９】
ここで、受信されたシンボルのベクトルの対の各々は、２個のＯＦＤＭシンボル期間に対するものである、請求項４８記載の装置。
【請求項５０】
ここで、受信されたシンボルのベクトルの対の各々は、２個のサブバンドに対するものである、請求項４８記載の装置。
【請求項５１】
ここで、システムはＳ個のサブバンドを有する第１のＯＦＤＭシンボルサイズおよびＬ個のサブバンドを有する第２のＯＦＤＭシンボルサイズをサポートする、ここで、Ｓは１よりもより大きい整数であり、そしてＬはＳの倍数の整数である、請求項４８記載の装置。
【請求項５２】
さらに、
受信アンテナに対する受信されたシンボルの対応するストリームを得るために第１あるいは第２のＯＦＤＭシンボルサイズに従ってＮ個の受信アンテナの各々に対するサンプルのストリームを変換するための手段を含む、そしてここで受信されたシンボルのベクトルのストリームはＮ個の受信アンテナに対する受信されたシンボルのＮ個のストリームから得られている、請求項５１記載の装置。